(57)【特許請求の範囲】
【請求項１】
ヘッダーを有して製本されたカレンダーを略水平姿勢で搬送するために搬送区間の始端から終端の間を走行する無端ベルトを備えた搬送フレームと、前記無端ベルトの走行方向に直交した向きの前記搬送フレームの側端に配置して搬送される前記カレンダーのヘッダーの部分を支持する定規フレームと、前記無端ベルトの前記搬送区間の中間部の上方に当該無端ベルトに直交する向きで配した略門型の印字フレームと、前記印字フレーム上で位置変更可能にその印字フレームに裁架された印字ヘッドと、前記定規フレームに設けられ搬送されて来る前記カレンダーを検出し前記印字ヘッドに印字指令を出力する印字開始センサと、を備えることを特徴とする製本済カレンダーのヘッダー印刷装置。
【請求項２】
前記カレンダーのヘッダーには、ヘッダー台紙によって形成されたもの、又はカレンダー本紙によって形成されるものである請求項１に記載の製本済カレンダーのヘッダー印刷装置。
【請求項３】
平面視略長方形の搬送フレームは、走行する前記無端ベルトに載せた製本されたカレンダーのヘッダーを案内させる定規フレームを設け、且つこの搬送フレームの定規フレームを設けた側が、定規フレームを設けない側よりも低くなるように設定した請求項１又は２に記載の製本済カレンダーのヘッダー印刷装置。
【請求項４】
前記印字ヘッドは、前処理ヘッドとインク硬化部を付帯している請求項１〜３のいずれかに記載の製本済カレンダーのヘッダー印刷装置。
【請求項５】
搬送フレームは、搬送方向の一側又は両側に断面略Ｌの定規フレームを備える請求項１〜４のいずれかに記載の製本済カレンダーのヘッダー印刷装置。
【発明の詳細な説明】
【技術分野】
【０００１】
本発明は、製本後の特に大形カレンダーのヘッダーに名入れ印刷を施すために用いて有用な印刷装置に関する。
本発明の印刷装置は、勿論、単独で使用することができるが、大形カレンダーの製本工程の下流に接続して用いると、大形カレンダーの製造工程の合理化に大きく寄与する。
【背景技術】
【０００２】
壁面に吊るしたり貼付けして使用する大形のカレンダー（例えば、カレンダーサイズがＢ２切〜Ａ４切等）においては、そのカレンダーの発行元等の名入れ表示が、複数枚を重ねたカレンダー用紙の一番下に配置される用紙（又は台紙）の下部を、上部のカレンダー用紙より長く形成し、そこに生じる横長帯状の余白部（名入れ部）に印刷して形成されている。
【０００３】
上記の名入れ形態の従来のカレンダーでは、発行元等の名入れ印刷するための用紙を、カレンダー用紙よりも長く形成したものを用意する必要があること、並びに、発行元等の名入れ印刷を製本工程の前に別工程で行う必要があることなど、使用する用紙の面や製本工程の面で合理的とは言えない問題があった。
【０００４】
上記の問題点は、一律大きさの用紙でそれらの頂部（ヘッダー）を綴じて製本した後のカレンダーに対してヘッダーに発行元等の名入れ印刷ができれば解決できるが、従来、製本された大形カレンダーのヘッダーに発行元等の名入れ印刷を施すことができる印刷装置はなかった。
【０００５】
従来、カレンダーのヘッダーに発行元などの名入れ印刷をするには、一例として綴じるカレンダーのヘッダーに被せる綴じ台紙（ヘッダー台紙ともいう）に、予め印刷を施し、その後から印刷した台紙をカレンダー本体の用紙と一緒に製本する手法が特許文献1などにより知られている。しかし、特許文献1の技術は、製本した後のカレンダーのヘッダー（又は、綴じ台紙）に名入れ印刷できるものではない。
【先行技術文献】
【特許文献】
【０００６】
【特許文献１】特開２０１２−６６３９３号公報
【特許文献２】特開２００２−１９３３１号公報
【特許文献３】特開２００７−３８４３９号公報
【発明の概要】
【発明が解決しようとする課題】
【０００７】
そこで本発明では、製本済みの大形カレンダーのヘッダーに発行元などの所定事項の印刷を施すことができる印刷装置を提供することを課題とする。
【課題を解決するための手段】
【０００８】
上記課題を解決するためになされた本発明印刷装置の構成は、ヘッダーを有して製本されたカレンダーを略水平姿勢で搬送するために搬送区間の始端から終端の間を走行する無端ベルトを備えた搬送フレームと、前記無端ベルトの走行方向に直交した向きの前記搬送フレームの側端に配置して搬送される前記カレンダーのヘッダーの部分を支持する定規フレームと、前記無端ベルトの前記搬送区間の中間部の上方に当該無端ベルトに直交する向きで配した略門型の印字フレームと、前記印字フレーム上で位置変更可能にその印字フレームに裁架された印字ヘッドと、前記定規フレームに設けられ搬送されて来る前記カレンダーを検出し前記印字ヘッドに印字指令を出力する印字開始センサと、を備えることを特徴とする。
前記カレンダーのヘッダーには、ヘッダー台紙によって形成されるものとカレンダー本紙によって形成されるものがあるが、本発明印刷装置はいずれのヘッダーにも適用できる。また製本されたカレンダーの下端部にある名入れ欄にも印刷することができる。
【０００９】
本発明印刷装置では、上記構成において、搬送フレームが備える無端べルトが、前記搬送フレームの長さ方向の両端部（無端ベルトの走行区間の始端部と終端部）において、搬送フレームの一端部にモータを主体とする駆動系に結合された駆動軸を、その搬送フレームの他端部に従動軸を備える。
【００１０】
前記駆動軸と従動軸は、軸の長さ方向における同位相の位置に、複数の歯付プーリを、前記駆動軸と従動軸の間で対向して備えている。
【００１１】
前記駆動軸と従動軸の上で対向した歯付プーリの対向する各ペアには、歯付きの無端ベルト（以下、搬送ベルトともいう）が掛け回される。
【００１２】
各ペアの歯付プーリに掛け回された各無端ベルトの外面には、複数の搬送爪がベルト走行方向において同位相で配置されている。
本発明においては、前記無端ベルトに代えて搬送爪を備えたチェーンや平ベルトを用いることができる。平ベルトには小径の貫通穴を全面に設けベルトの下からバキュームでカレンダーを保持したり、平ベルトの上に押さえローラを配置しベルトとローラでカレンダーを挟んで送るようにもできる。
【００１３】
本発明における搬送フレームは、型鋼やチャンネル材により形成し、平面から見たとき横長の略長方形状を呈し、その横長形状の長手方向がカレンダーの搬送方向である。搬送されるカレンダーは、その上下方向が搬送方向と直交する向きで搬送ベルトの上に供給される。従って、前記定規フレームは、この搬送フレームの長手方向の一側で、搬送される前記カレンダーのヘッダーが位置する側に配置される。
【００１４】
前記搬送フレームは、少なくとも四隅に脚部を備え、その脚部を接地させて床上に置かれるが、当該搬送フレームがなす平面は床面に平行な水平姿勢ではない。
【００１５】
搬送フレームは、走行する前記搬送ベルトに載せた製本されたカレンダーのヘッダーが必ず定規フレームに寄り付いて案内されるように、定規フレームを設けた側が、定規フレームを設けない側よりも低くなるように設定されている。このため四隅の脚部の長さ（高さ）を、定規フレーム側が定規フレームを設けない側よりも低くなるように調整した脚部を用いている。
本発明では定規フレームを搬送フレームの両側に設けると共に、搬送フレームの4本の脚部をシリンダ等で伸縮自在にしたものを用い、搬送方向の一側と他側でフレームを低くする側を切り替えるようにできる。このようにすると、カレンダーのヘッダーへの印刷と下端部の名入れ欄への印刷の切り替えを合理的に行うことができる。
【００１６】
本発明の印字ヘッドは、インクジェットプリンタと同様のインクジェットプリンタ機構を用いる。前記印字ヘッドは、前処理ヘッドとインク硬化部を付帯している。
【発明の効果】
【００１７】
本発明印刷装置は、製本された大形カレンダーのヘッダーに発行元等の印刷をすることができるから、大形カレンダーの製本工程に引き続けてヘッダー印刷工程を配置できるからカレンダー製造の合理化に大きく寄与できる。また印字ヘッドは、印字フレーム上で移動できるから、製本後のカレンダーであってもその下端側に名入れ欄がある場合にはその名入れ欄に印刷することができる。
【図面の簡単な説明】
【００１８】
【図１】本発明印刷装置が印刷対象とするカレンダーの斜視図。
【図２】図１の製本後のカレンダーのヘッダーに印刷することができる本発明印刷装置の概要を説明するための斜視図。
【発明を実施するための形態】
【００１９】
次に本発明印刷装置の実施の形態について、図を参照して説明する。
【００２０】
図１に示す大形カレンダーＣＬは、一例としてＡ２切りサイズの１１枚のカレンダー本体の用紙Ｃｐと、１１枚の前記用紙Ｃｐの下に置かれる名入れ欄Ｎｓ分を大きく形成した1枚の用地Ｃｐ１と、１２枚の前記用紙ＣｐとＣｐ１の頂部を整えてヘッダー台紙Ｈｐを当てがい製本されている。
図１においてＣ１はヘッダー台紙Ｈｐ（以下、ヘッダーＨｅともいう）に印刷した発行元等を示す文字、Ｃ2は名入れ欄Ｎｓに印刷した発行元等の適宜文字である。本発明が名入れ文字等の印刷をしようとするカレンダーＣＬは、原則として名入れ欄Ｎｓを備えないカレンダーＣＬであるが、名入れ欄Ｎｓを有するカレンダーＣＬの名入れ欄Ｎｓにも印刷できる。
【００２１】
図２は、図１に示す製本後のカレンダーＣＬ（名入れ欄Ｎｓを備えないもの）のヘッダーＨｅに適宜の文字Ｃ１を印刷することができる本発明印刷装置の構成の概要を示した図である。
図２において、１はカレンダーＣＬを水平姿勢で搬送するために後述する無端ベルト（歯付きベルトによる搬送ベルト８）を備えた搬送フレームである。
【００２２】
搬送フレーム１は、型鋼やチャンネル材などのフレーム材で平面視横向きの略長方形に形成され、少なくとも四隅に４本の脚部２１〜２４を備える。4本の脚部２１〜２４は、図２の向こう側の２本の脚部２３，２４の高さｈ２が、手前側の２本の脚部２１，２２の高さｈ１より小さい脚部材で形成されている。
【００２３】
搬送フレーム１の上部における左右の端部（搬送方向の始端と終端）には、搬送フレーム１の短辺に略平行な向きでそれぞれに駆動軸３と従動軸４とが夫々の軸受３ａと４ａによって回転自在に架設されている。
【００２４】
駆動軸３には、搬送フレーム１に配置した駆動モータ５、駆動プーリ５ａ、駆動軸３に設けた従動プーリ３ｂ、前記駆動プーリ５ａと従動プーリ３ｂに掛け回した駆動ベルト５ｂにより構成される駆動系が結合されている。
【００２５】
前記駆動軸３と従動軸４には、軸の長さ方向において同位相かつ略等間隔で複数の、図では４個の歯付プーリ６，７が設けられており、搬送方向においてペアとなる各歯付プーリ６，７には夫々に無端ベルトとして歯付ベルト８が搬送ベルトとして駆け回されている。各搬送ベルト８には、搬送方向において適宜の間隔でカレンダー搬送用の搬送爪８ａが上向きに設けられている。
【００２６】
図２において、９は搬送フレーム１の足部２３，２４が短い側に、前記搬送ベルト８と略平行に設けた断面略Ｌ状の定規フレームである。定規フレーム９の水平辺９ａの上面には、搬送ベルト８によって搬送されるカレンダーＣＬのヘッダーＨｅの部が載せられる。また、搬送フレーム１は、定規フレーム９の側がこのフレーム１の手前側よりも低いから、搬送されるカレンダーＣＬのヘッダーＨｅの頂部は、常時、定規フレーム９の垂直辺９ｂに当接して搬送される。前記定規フレーム９には、搬送されてくるカレンダーＣｌによってスイッチがオンされる印字開始センサ１０が設けられている。
【００２７】
前記搬送フレーム１の上には、搬送方向に略直交する向きであって搬送フレーム１を跨ぐ形で、正面から見て略門型の印字フレーム１１が配設されており、この印字フレーム１１に印字ヘッド１２が、印字フレーム１１に沿って搬送方向を横断する方向に位置決め移動可能にマウントされている。
【００２８】
印字ヘッド１２は、図示しないが、下端面に公知のインクジェットプリンタと同じノズルを備えており、印字開始センサ１０が搬送されるカレンダーＣＬを検出すると、前記ノズルが作動されてヘッダーＨｅに例えば名入れ文字を印字する。前記印字ヘッドには、公知のインクジェットプリンタと同様の構造でインクタンク、減圧弁、超音波ノズルと偏向電極を備えるノズル、ガター等の部材を備えている。
【００２９】
本発明では、前記印字フレーム１１と平行な姿勢でこの印字フレーム１１に、前処理ヘッド１３を設けている。
前処理ヘッド１３は、印字ヘッド１２と略同じ構成で、ノズルから噴射するインク状の処理剤が、インクの乗りや吸収などの面でインクの定着状態が良好でないヘッダーＨｅの紙質に対処するため、印字ヘッド１２から噴射される文字パターンと同じ文字パターンで処理剤を紙面に塗布する。前処理ヘッド１３は、印字ヘッド１２と同期して印字フレーム１１の上を移動することができる。
【００３０】
前記印字ヘッド１２は、そのヘッドに対し搬送方向の下流側に、ＬＥＤ等による紫外線を印刷面に照射して印字インクを硬化するインク硬化部としてＵＶ照射部１４を備えている。ＵＶ照射部１４は、印字ヘッド１２と一体に、印字フレーム１１に沿って移動、位置決め可能に構成されている。
【００３１】
以上により、製本済みの大型カレンダーＣＬのヘッダーＨｅに、名入れなどの適宜印刷を施すことができる本発明印刷装置の一例を形成するので、次にその動作形態例について説明する。
【００３２】
搬送ベルト８が図２の右下から左上に向けて走行しているとき、従動軸４の側から前記歯付きベルト８の上に置かれたカレンダーＣＬは、搬送爪８ａによってベルト上に掛止されて搬送ベルト８の走行と一緒に移動する。
【００３３】
この移動で前記カレンダーＣＬの先端が印字開始センサ１０のスイッチを作動すると、これをトリガーとして所定時間の遅れを伴って前処理ヘッド１３と印字ヘッド１２が作動させられ、それぞれのノズルから処理剤と印刷インクがヘッダーＨｅに噴射供給され、印刷文字Ｃ１を形成する。
【００３４】
ヘッダーＨｅに文字Ｃ１を印字されたカレンダーＣＬは、印字ヘッド１２に隣接したＵＶ照射部１４から紫外線を照射されて印字インクが硬化・乾燥させられ、下流側に搬送される。
【００３５】
本発明印刷装置は、上記のような印刷工程で製本されたカレンダーＣＬのヘッダーＨｅに、名入れ等の印刷を施すことができるから、この本発明の印刷装置を、カレンダーＣＬの製本機の下流に接続配置すれば、カレンダーＣＬの製本からヘッダーＨｅへの印刷までを、カレンダー製造工程の中で一貫して行うことが可能になる。
【００３６】
以上は、製本済みの大形カレンダーＣＬのヘッダーＨｅに名入れなどの印刷をする側であったが、本発明印刷装置は、従来から一般的にあったカレンダーＣＬにおける一番下の用紙の下端に形成された名入れ欄Ｎｓに名入れ印刷をする場合にも利用できる。
【００３７】
カレンダーＣＬの下端に形成された名入れ欄Ｎｓに本発明印刷装置によって印刷をするには、印字フレーム１１の印字ヘッド１２、前処理ヘッド１３、ＵＶ照射部１４を、当該印字フレーム１１の反対側（定規フレーム９が設けられていない側）に移動させると、搬送されてくるカレンダーＣＬの名入れ部Ｎｓに名入れ文字Ｃ２等を印刷することができる。名入れ欄Ｎｓへの印字のために搬送フレーム１の名入れ欄Ｎｓが位置する側に、定規フレーム９を設けるとよい。
【００３８】
本発明は以上の通りであるから、製本済の特に大形カレンダーのヘッダーに名入れなどの印刷を施す装置としてきわめて有用である。
【符号の説明】
【００３９】
ＣＬ  カレンダー
Ｈｅ  ヘッダー
Ｃ１名入れ等の文字
１  搬送フレーム
２１〜２４  脚部
３  駆動軸
４  従動軸
５  駆動モータ
６，７  歯付プーリ
８  歯付ベルト（無端ベルト）
９  定規フレーム
１０  印字開始センサ
１１  印字フレーム
１２  印字ヘッド
１３  前処理ヘッド
１４  ＵＶ照射部
【要約】
【課題】  製本済みの大形カレンダーのヘッダーに発行元などの所定事項の印刷を施すことができる印刷装置を提供する。
【解決手段】  ヘッダーを有して製本されたカレンダーＣＬを略水平姿勢で搬送するために搬送区間の始端から終端の間を走行する無端ベルト８を備えた搬送フレーム１のと、前記無端ベルト８の走行方向に直交した向きの前記搬送フレーム１の側端に配置して搬送される前記カレンダーＣＬのヘッダーＨｅの部分を支持する定規フレーム９と、前記無端ベルト８の前記搬送区間の中間部の上方に当該無端ベルト８に直交する向きで配した略門型の印字フレーム１１と、前記印字フレーム１１上で位置変更可能にその印字フレーム１１に裁架された印字ヘッド１２と、前記定規フレーム9に設けられ搬送されて来る前記カレンダーＣＬを検出し前記印字ヘッド１２に印字指令を出力する印字開始センサ１０と、を備えてヘッダー印刷装置を構成した。
【選択図】図２【図１】
0006826176.tif 000002
【図２】
0006826176.tif 000003